(57)【要約】【課題】壁本体と支柱とが一体化した壁を、より合理的に構築する。【解決手段】水平方向に沿って列状に並べられる複数のブロック体を型枠として打設したコンクリートによって構成された擁壁本体１１と、擁壁本体１１と一体化された状態で地盤に対して建てられた鋼管杭１２と、を有する。複数のブロック体は、厚みが互いに異なる第一ブロック体２１及び第二ブロック体２２を含み、より厚肉の第二ブロック体２２は、擁壁本体１１の厚み方向に土圧を受ける側に位置する部分に杭挿入用孔２３を有し、杭挿入用孔２３に鋼管杭１２が挿入された状態で杭挿入用孔２３内部にコンクリートが打設されたことで鋼管杭１２と擁壁本体１１とが一体化している。【選択図】図３
2018204336.tif 000002
【特許請求の範囲】
【請求項１】
水平方向に沿って列状に並べられる複数のブロック体を備え、該複数のブロック体を型枠として打設したコンクリートによって構成された壁本体と、
該壁本体と一体化された状態で地盤に対して建てられた支柱と、
前記複数のブロック体は、前記壁本体の厚み方向における長さが互いに異なる第一ブロック体及び第二ブロック体を含み、
前記第一ブロック体及び前記第二ブロック体のうち、より前記長さが大きい前記第二ブロック体は、前記厚み方向において外圧を受ける側に位置する部分に、前記支柱を挿入させるための孔を有し、
該孔に前記支柱が挿入された状態で前記孔の内部にコンクリートが打設されたことで前記支柱と前記壁本体とが一体化していることを特徴とする壁。
【請求項２】
前記複数のブロック体は、前記第二ブロック体の両脇位置に前記第一ブロック体が配置された状態で並べられていることを特徴とする請求項１に記載の壁。
【請求項３】
前記支柱は、地盤に対して一定間隔毎に建てられ、
前記複数のブロック体は、前記支柱が建てられている間隔に応じた間隔にて前記第二ブロック体が配置されるように並べられていることを特徴とする請求項２に記載の壁。
【請求項４】
前記第二ブロック体は、前記第一ブロック体の側端部と対向する部位に設けられた切り欠き部を有し、
前記複数のブロック体は、前記切り欠き部に前記第一ブロック体の前記側端部の角部分が係合した状態で並べられていることを特徴とする請求項２又は３に記載の壁。
【請求項５】
前記切り欠き部には、前記第一ブロック体の前記側端部中、前記厚み方向において外圧を受ける側に位置している前記角部分が係合していることを特徴とする請求項４に記載の壁。
【請求項６】
前記第一ブロック体及び前記第二ブロック体の各々は、鉛直方向に沿って積み重ねられており、
積み重ねられた前記第二ブロック体の各々の前記孔は、連通していることを特徴とする請求項１乃至５のいずれか一項に記載の壁。
【請求項７】
前記第二ブロック体は、前記第一ブロック体と隣り合う位置に配置された壁本体構築部と、前記孔が形成された孔形成部と、を有し、
該孔形成部は、前記厚み方向において前記壁本体構築部よりも外圧を受ける側に位置した状態で前記壁本体構築部に隣接しており、
前記第一ブロック体及び前記第二ブロック体の前記壁本体構築部は、前記厚み方向において外圧を受ける側とは反対側に位置する外側面を有し、
前記複数のブロック体は、前記第一ブロック体の前記外側面と前記第二ブロック体の前記壁本体構築部の前記外側面とが揃うように並べられていることを特徴とする請求項１乃至６のいずれか一項に記載の壁。
【請求項８】
前記壁は、擁壁であり、
前記壁本体は、土圧を受ける擁壁本体であり、
前記支柱は、地盤に対して建てられた杭であり、
前記第二ブロック体の、前記厚み方向において土圧を受ける側の部分に、前記杭を挿入させるための前記孔が設けられていることを特徴とする請求項１乃至７のいずれか一項に記載の壁。
【発明の詳細な説明】
【技術分野】
【０００１】
本発明は、コンクリート製の壁に係り、特に、土中にベース部分（フーチング部分）を設けなくとも外圧に耐え得る壁に関する。
【背景技術】
【０００２】
土圧を受ける擁壁等、外圧に耐え得るように構成された壁に関しては、これまでに様々な形式が開発されてきている。その一例としては、図７に図示のＬ形擁壁１００が挙げられる。図７は、従来の擁壁の構造を示す図である。図７に図示のＬ形擁壁１００は、水平なベース部１０１と垂直な壁部１０２とを有している。壁部１０２は、盛土を支持する部分であり、盛土の端面から土圧を受ける。ベース部１０１は、壁部１０２と交差する部分であり地中に埋設される。
【０００３】
上記のＬ形擁壁１００を用いる場合には、図７に示すように、Ｌ形擁壁１００から離れた位置、より具体的にはベース部１０１から離れた位置で杭１１０を地盤に対して打ち込み、その杭の上に建物Ｈを建てる形になる。このような構成では、建物ＨとＬ形擁壁１００の壁部１０２との間に余分なスペースが生じてしまう。
【０００４】
このため、ベース部１０１に相当する部分を備えなくとも土圧に耐え得る擁壁として、壁部１０２に相当する部分（以下、擁壁本体とも言う）と杭１１０とを一体化した擁壁が、これまでに開発されている（例えば、特許文献１参照）。特許文献１に記載の擁壁は、盛土の端面に沿って配置されたコンクリート製のパネルと、各パネルの裏面（土圧を受ける側の面）の中間部に形成された肉厚部と、肉厚部に形成された孔とを有する。孔には杭が挿入され、杭が挿入された孔の内部にコンクリートが打設させることでパネルと杭とが一体化する。
【０００５】
上記の構成であれば、擁壁本体を構成するパネルが支柱としての杭に支持されるようになり、結果として、Ｌ形擁壁１００のようにベース部１０１を設ける必要がなくなる。そして、ベース部１０１が不要となる分、建物を擁壁に近付けて建てることが可能となり、建物と擁壁との間に余分なスペースが生じてしまうのを抑えることが可能となる。
【先行技術文献】
【特許文献】
【０００６】
【特許文献１】特開２００１−３１１１６８号公報
【発明の概要】
【発明が解決しようとする課題】
【０００７】
しかしながら、特許文献１に記載の擁壁では、擁壁本体を構成するパネルのすべてに肉厚部が設けられ、各パネルの肉厚部に孔が形成されている。すなわち、特許文献１に記載の擁壁では、擁壁本体を構成するパネルのすべてに対して杭が一つずつ用意されている。そして、各パネルは、各パネルに対して用意された杭と一体化している。以上の構成では、パネルの数と同数の杭が必要となり、その分、材料費等が嵩む。
【０００８】
また、擁壁本体と杭とが一体化した擁壁を構築する上では、既存の材料（例えば、一般的な擁壁を構築する際に用いられる材料等）を部分的に流用する等して効率よく擁壁を構築することが望まれる。
【０００９】
そこで、本発明は、上記の課題に鑑みてなされたものであり、その目的とするところは、壁本体と支柱とが一体化している壁として、より合理的に構築することが可能な壁を提供することである。
【課題を解決するための手段】
【００１０】
前記課題は、本発明の壁によれば、（Ａ）水平方向に沿って列状に並べられる複数のブロック体を備え、該複数のブロック体を型枠として打設したコンクリートによって構成された壁本体と、（Ｂ）該壁本体と一体化された状態で地盤に対して建てられた支柱と、（Ｃ）前記複数のブロック体は、前記壁本体の厚み方向における長さが互いに異なる第一ブロック体及び第二ブロック体を含み、（Ｄ）前記第一ブロック体及び前記第二ブロック体のうち、より前記長さが大きい前記第二ブロック体は、前記厚み方向において外圧を受ける側に位置する部分に、前記支柱を挿入させるための孔を有し、（Ｅ）該孔に前記支柱が挿入された状態で前記孔の内部にコンクリートが打設されたことで前記支柱と前記壁本体とが一体化していることにより解決される。
【００１１】
上記のように構成された本発明の壁では、壁本体を構成する複数のブロック体のうち、より厚みが大きい第二ブロック体に、支柱を挿入するための孔が設けられている。そして、孔に支柱が挿入された状態で当該孔の内部にコンクリートが打設されたことで支柱と壁本体とが一体化している。つまり、本発明の壁では、水平方向に沿って列状に並べられる複数のブロック体の一部（具体的には、第二ブロック体）のみが支柱と一体化する。この結果、本発明の壁は、特許文献１に記載の壁のように壁本体を構成する部品（具体的にはブロック体）の各々に対して支柱（具体的には杭）を用意する必要がなく、その分、材料費等のコストが抑えられる。
また、第二ブロック体以外のブロック体（すなわち、第一ブロック体）については、一般的な壁本体を構築するために用いられる型枠ブロックを利用することができる。このように壁を構築する際に、一般的な壁を構築するための型枠ブロックを利用すれば、その分、効率よく壁を構築することが可能となる。
以上のように本発明によれば、壁本体と支柱とが一体化した壁を、より合理的に構築することが可能となる。
【００１２】
また、上述の壁に関してより好適な構成を述べると、前記複数のブロック体は、前記第二ブロック体の両脇位置に前記第一ブロック体が配置された状態で並べられているとよい。
上記の構成では、第二ブロック体が第一ブロック体の間に挟まれている。このような構成であれば、第二ブロック体の使用数がより少なくなるので、支柱の設置数も少なくなる。
【００１３】
また、上述の壁に関してさらに好適な構成を述べると、前記支柱は、地盤に対して一定間隔毎に建てられ、前記複数のブロック体は、前記支柱が建てられている間隔に応じた間隔にて前記第二ブロック体が配置されるように並べられているとよい。
上記の構成では、第二ブロック体及び支柱が水平方向において一定間隔毎に配置される。このような構成であれば、第二ブロック体及び支柱の設置数をさらに少なくすることが可能となる。
【００１４】
また、上述の壁に関してより一層好適な構成を述べると、前記第二ブロック体は、前記第一ブロック体の側端部と対向する部位に設けられた切り欠き部を有し、前記複数のブロック体は、前記切り欠き部に前記第一ブロック体の前記側端部の角部分が係合した状態で並べられているとよい。
上記の構成では、第二ブロック体の、第一ブロック体の側端部と対向する部位に設けられた切り欠き部が設けられており、当該切り欠き部に第一ブロック体の側端部の角部分が係合している。これにより、壁本体の厚み方向において第二ブロック体の位置がずれるのを、第一ブロック体の側端部の角部によって抑えることが可能となる。
【００１５】
また、上述の壁に関して益々好適な構成を述べると、前記切り欠き部には、前記第一ブロック体の前記側端部中、前記厚み方向において外圧を受ける側に位置している前記角部分が係合しているとよい。
上記の構成では、第一ブロック体の側端部中、外圧を受ける側に位置している角部分が切り欠き部に係合している。このような構成であれば、第二ブロック体が外圧によって外側に向かって移動（位置ずれ）してしまうのを抑えることが可能となる。
【００１６】
また、上述の壁に関して尚一層好適な構成を述べると、前記第一ブロック体及び前記第二ブロック体の各々は、鉛直方向に沿って積み重ねられており、積み重ねられた前記第二ブロック体の各々の前記孔は、連通しているとよい。
上記の構成では、第一ブロック体及び第二ブロック体を鉛直方向に積み重ねることで壁本体が構築されている。このような構成であれば、第一ブロック体及び第二ブロック体の各々を小型化することが可能となるので、各ブロック体が取り扱い易くなる。
【００１７】
また、上述の壁に関して一段と好適な構成を述べると、前記第二ブロック体は、前記第一ブロック体と隣り合う位置に配置された壁本体構築部と、前記孔が形成された孔形成部と、を有し、該孔形成部は、前記厚み方向において前記壁本体構築部よりも外圧を受ける側に位置した状態で前記壁本体構築部に隣接しており、前記第一ブロック体及び前記第二ブロック体の前記壁本体構築部は、前記厚み方向において外圧を受ける側とは反対側に位置する外側面を有し、前記複数のブロック体は、前記第一ブロック体の前記外側面と前記第二ブロック体の前記壁本体構築部の前記外側面とが揃うように並べられているとよい。
上記の構成では、第二ブロック体は、壁本体構築部と孔形成部とを有し、孔形成部の分だけ、第一ブロック体よりも厚肉となっている。一方、第一ブロック体の外側面と第二ブロック体の壁本体構築部の外側面とが揃うように各ブロック体が並べられている。これにより、厚肉な第二ブロック体を用いながらも、壁本体の外観を良好なもの（通常の壁と同様の外観）とすることが可能である。
【００１８】
また、上述の壁に関して、前記壁は、擁壁であり、前記壁本体は、土圧を受ける擁壁本体であり、記支柱は、地盤に対して建てられた杭であり、前記第二ブロック体の、前記厚み方向において土圧を受ける側の部分に、前記杭を挿入させるための前記孔が設けられていてもよい。
上記の構成であれば、土圧を受ける擁壁本体と支柱としての杭とが一体化した擁壁を、合理的に構築することが可能となる。
【発明の効果】
【００１９】
本発明によれば、壁本体と支柱とが一体化した壁（すなわち、Ｌ形擁壁のベース部に相当する部分を要しない壁）を、合理的に構築することが可能になる。
【図面の簡単な説明】
【００２０】
【図１】本発明の一実施形態に係る壁の縦断面図である。
【図２】本発明の一実施形態に係る壁の正面図である。
【図３】本発明の一実施形態に係る壁の平面図である。
【図４】本発明の一実施形態に係る第一ブロック体の平面図である。
【図５】本発明の一実施形態に係る第二ブロック体の平面図である。
【図６】変形例に係る第二ブロック体の平面図である。
【図７】従来の擁壁の構造を示す図である。
【発明を実施するための形態】
【００２１】
以下、本発明の一実施形態（以下、本実施形態）に係る壁について図面を参照しながら説明する。ここで、壁とは、外に対して露出しているコンクリート製の壁であり、外圧を受けるものである。「外圧」とは、外力によって壁に掛かる圧力であり、土圧、風圧及び水圧等が該当する。以下では、土圧を受ける擁壁を壁の一例として挙げ、当該擁壁の構成例について説明することとする。
【００２２】
なお、以下に説明する実施形態は、本発明の理解を容易にするための一例であり、本発明を限定するものではない。すなわち、本発明は、その趣旨を逸脱することなく、変更、改良され得る。また、当然ながら本発明にはその等価物が含まれ得る。
【００２３】
また、以下の説明中、「厚み方向」とあるのは、本発明の「壁本体の厚み方向」に相当し、具体的には、後述の擁壁本体１１の厚み方向のことである。また、以下では、擁壁各部の位置や向き等を説明する際に、特に断る場合を除き、擁壁が所定の位置に構築された状態での位置や向き等を説明することとする。
【００２４】
また、本実施形態に係る擁壁は、後述するようにコンクリートを型枠内に打設することで構築されるものであるが、図１及び図３では、図示の都合上、コンクリートを打設する前の状態の擁壁を図示している。
【００２５】
本実施形態に係る擁壁（以下、擁壁１０）は、盛土１の端部を支える土留め用の構造物である。盛土１の上には建物（不図示）が構築されている。擁壁１０は、図１及び図２に示すように、盛土１の端部と隣接して土圧（外圧の一例に相当）を受ける擁壁本体１１と、地盤に対して建てられた鋼管杭１２と、を有する。擁壁本体１１は、水平方向に延出した壁体であり、コンクリートを打設することで構築される。鋼管杭１２は、杭の一例であり、擁壁本体１１を支える支柱として機能し、盛土１内に埋められている。本実施形態において、鋼管杭１２は、擁壁本体１１と一体化されている。これにより、擁壁本体１１が土圧に耐え得るように鋼管杭１２に支えられている。
【００２６】
上記の構成によれば、従来のＬ形擁壁１００のように盛土１上の建物を擁壁から離す必要がなくなり、擁壁本体１１に建物を近付けることが可能となる。これにより、盛土１上のスペースを効率よく利用することが可能となる（換言すると、擁壁本体１１と建物との間に余分なスペースが生じなくなる）。
【００２７】
なお、本実施形態では、杭として鋼管杭１２を用いているが、その他の杭（例えば、Ｈ形鋼杭、コンクリート杭、鋼管ソイルセメント杭等の合成杭）を利用してもよい。
【００２８】
以下、擁壁本体１１の構造について詳しく説明する。なお、以下では、説明の便宜上、厚み方向において擁壁本体１１が土圧を受ける側を「内側」と呼ぶこととし、土圧を受ける側とは反対側（すなわち、盛土１から離れている側）を「外側」を呼ぶこととする。
【００２９】
擁壁本体１１は、図２に示すように水平方向に沿って列状に並べられる複数のブロック体を備えている。複数のブロック体には、互いに厚み（厚み方向における長さ）が異なる第一ブロック体２１及び第二ブロック体２２が含まれる。そして、擁壁本体１１を構築するにあたり、第一ブロック体２１及び第二ブロック体２２は、図３に示すように列状に並べられる。なお、図３では、図示の都合上、列状に並べられた第一ブロック体２１及び第二ブロック体２２の一部のみを図示している。
【００３０】
第一ブロック体２１及び第二ブロック体２２の並べ方について説明すると、第二ブロック体２２を一定間隔毎に配置し、第二ブロック体２２の間に複数個の第一ブロック体２１を配置する。換言すると、第一ブロック体２１及び第二ブロック体２２を含む複数のブロック体は、第二ブロック体２２の両脇位置に第一ブロック体２１が配置されるように並べられる。なお、列状に並べられた複数のブロック体は、図示せぬ鉄筋によって連結される。
【００３１】
第一ブロック体２１及び第二ブロック体２２を列状に並べた後、第一ブロック体２１及び第二ブロック体２２を型枠としてコンクリートを打設する。つまり、第一ブロック体２１及び第二ブロック体２２は、コンクリート壁を構築するために用いられる型枠ブロックである。
【００３２】
なお、第一ブロック体２１は、一般的な擁壁本体（分かり易くは、Ｌ形擁壁１００の壁部１０２）を構築する際に用いられる型枠ブロックと略同じサイズであり、かつ、略同一な構造のものである。つまり、擁壁本体１１を構築する際には、一般的な擁壁（厳密には、擁壁本体に相当する部分）を構築する際に用いられる型枠ブロックを流用することが可能である。
【００３３】
打設したコンクリートが硬化した後、列状のブロック体の上に新たな第一ブロック体２１及び第二ブロック体２２を載置する。その後、先の工程と同様に、第一ブロック体２１及び第二ブロック体２２を型枠としてコンクリートを打設する。以降、第一ブロック体２１及び第二ブロック体２２の配置、及び、コンクリートの打設が繰り返され、結果として、所望の高さの擁壁本体１１が構築される。
【００３４】
以上のように、擁壁本体１１は、列状に配置された第一ブロック体２１及び第二ブロック体２２を型枠として打設したコンクリートによって構成されている。また、図１及び図２に示すように、第一ブロック体２１及び第二ブロック体２２の各々は、鉛直方向に沿って積み重ねられている。厳密に説明すると、第一ブロック体２１の上には第一ブロック体２１が積み重ねられ、第二ブロック体２２の上には第二ブロック体２２が積み重ねられている。そして、擁壁本体１１が完成すると、第一ブロック体２１及び第二ブロック体２２は、擁壁本体１１の一部として機能するようになる。すなわち、第一ブロック体２１及び第二ブロック体２２は、擁壁本体１１の完成後にも取り外されずに残置されることになる。
【００３５】
なお、第一ブロック体２１及び第二ブロック体２２の各々を積み重ねる際の積み重ね数（段数）については、任意の値に設定可能であるが、盛土１の高さに応じた値に設定されるのがよい。
【００３６】
第一ブロック体２１と第二ブロック体２２の各々の構造について説明すると、第一ブロック体２１は、上方視で図４に図示の外形形状をなしている。より詳しく説明すると、第一ブロック体２１は、前述したように、一般的な擁壁本体を構築する際に用いられる型枠ブロックであり、隙間を隔てて並ぶ一対の側壁２１ａ、２１ｂと、側壁２１ａ、２１ｂの間を連結する連結部２１ｃとを有する。
【００３７】
各側壁２１ａ、２１ｂの側端部の角部分は、略直角な角部分となっている。また、厚み方向においてより外側に位置する側壁２１ａの表面（厳密には、側壁２１ｂと対向する側とは反対側の表面）は、第一ブロック体２１のうち、厚み方向において土圧を受ける側とは反対側に位置する外側面２１ｓをなしている。
【００３８】
第二ブロック体２２は、第一ブロック体２１よりも厚みが大きく、図５に示すように貫通孔が形成された部分を有する。この孔（以下、杭挿入用孔２３）は、鋼管杭１２を挿入させるために形成された略矩形状の孔であり、第二ブロック体２２中、厚み方向において内側に位置する部分に設けられている。そして、鋼管杭１２が杭挿入用孔２３に挿入された状態で杭挿入用孔２３の内部にコンクリートが打設されて当該コンクリートが硬化すると、第二ブロック体２２を含む擁壁本体１１と鋼管杭１２とが一体化するようになる。
【００３９】
より詳しく説明すると、鋼管杭１２は、図１に示すように、盛土１の地表面から幾分突出した状態で建て込まれる。その後、図３に示すように、鋼管杭１２の突出部分が杭挿入用孔２３に挿入されるように第二ブロック体２２が配置される。具体的には、同図に示すように、杭挿入用孔２３の略中央部分に鋼管杭１２が位置するように第二ブロック体２２が配置される。
【００４０】
また、第二ブロック体２２は、前述したように鉛直方向に沿って複数個積み重ねられる。このとき、複数個の第二ブロック体２２は、各第二ブロック体２２の杭挿入用孔２３が連通（連続）するように積み重ねられる。そして、所定個数の第二ブロック体２２が積み重ねられた時点で、鋼管杭１２の突出部分は、図１に示すように連続した複数の杭挿入用孔２３内に完全に収まるようになる。
【００４１】
なお、本実施形態では、上述したように鋼管杭１２を地盤に対して建てた後に、杭挿入用孔２３内に鋼管杭１２が挿入されるように第二ブロック体２２を配置する。つまり、本実施形態では、鋼管杭１２を建ててから第一ブロック体２１及び第二ブロック体２２を配置することになっている。ただし、上記の手順に限定されるものではなく、第一ブロック体２１及び第二ブロック体２２を所定位置に配置してから第二ブロック体２２の杭挿入用孔２３内に鋼管杭１２を挿入して当該鋼管杭１２を地盤に対して打ち込み、その後にコンクリートを打設して擁壁本体１１を構築してもよい。
【００４２】
また、本実施形態では、水平方向（厳密には、第一ブロック体２１及び第二ブロック体２２が並べられる方向）において一定間隔毎に鋼管杭１２が地盤に対して建てられている。第一ブロック体２１及び第二ブロック体２２を含む複数のブロック体は、鋼管杭１２のピッチ（鋼管杭１２が建てられている間隔）に応じた間隔にて第二ブロック体２２が配置されるように並べられている。分かり易く説明すると、鋼管杭１２及び第二ブロック体２２は、水平方向において同じピッチにて配置されている。これにより、各鋼管杭１２は、対応する第二ブロック体２２（具体的には、最寄りの第二ブロック体２２）の鋼管杭１２に挿入されるようになる。
【００４３】
ここで、鋼管杭１２及び第二ブロック体２２のピッチについては、任意の値に設定可能であるが、地盤の強度等に応じて適当な値に設定されるのがよい。
【００４４】
第二ブロック体２２の構造についてより詳しく説明すると、第二ブロック体２２は、図５に示すように、壁本体構築部としての擁壁本体構築部２２ａと、杭挿入用孔２３が形成された孔形成部２２ｂと、を有する。擁壁本体構築部２２ａは、第一ブロック体２１と略同じ構成となった部分であり、第一ブロック体２１とともに擁壁本体１１の一般部分をなす。すなわち、擁壁本体構築部２２ａは、図３に示すように、第一ブロック体２１と隣り合う位置に配置される。ここで、「擁壁本体１１の一般部分」とは、擁壁本体１１中、土圧を受ける壁部に相当する部分のことである。
【００４５】
また、擁壁本体構築部２２ａは、厚み方向において土圧を受ける側とは反対側に位置する外側面２２ｓを有する。そして、擁壁本体１１では、厚み方向において第一ブロック体２１の外側面２１ｓと第二ブロック体２２の擁壁本体構築部２２ａの外側面２２ｓとが揃うように、第一ブロック体２１及び第二ブロック体２２が並べられている。
【００４６】
孔形成部２２ｂは、杭挿入用孔２３を形成するために設けられた部分であり、厚み方向において擁壁本体構築部２２ａよりも内側に位置した状態で擁壁本体構築部２２ａに隣接している。より具体的に説明すると、孔形成部２２ｂは、図５に示すように、擁壁本体構築部２２ａの内側端面から略Ｕ字状に膨出してなる中空状の膨らみ部分である。そして、孔形成部２２ｂの内側には、孔形成部２２ｂを上下に貫通した杭挿入用孔２３が設けられている。
【００４７】
ここで、孔形成部２２ｂ及び杭挿入用孔２３の寸法や形状については、杭挿入用孔２３に挿入される鋼管杭１２に応じて決められるのがよい。例えば、図５中、実線にて示すサイズの鋼管杭１２が用いられる場合には、孔形成部２２ｂ及び杭挿入用孔２３を実線にて示すサイズ及び形状に設計すればよく、破線にて示すサイズの鋼管杭１２が用いられる場合には、破線にて示すサイズ及び形状に設計すればよい。
【００４８】
なお、本実施形態において、杭挿入用孔２３の一部（具体的には、厚み方向において杭挿入用孔２３の外側端部に位置する部分）は、図５に示すように、擁壁本体構築部２２ａに差し掛かっている。厳密に説明すると、擁壁本体構築部２２ａの内側端部のうち、孔形成部２２ｂの中空部分に面する部分は、厚み方向外側に向かって若干彫り込まれて空間を形成している。そして、擁壁本体構築部２２ａの内側端部が彫り込まれて形成された空間と、孔形成部２２ｂの中空部分と、によって杭挿入用孔２３が構成されている。
【００４９】
また、第二ブロック体２２は、図５に示すように、第一ブロック体２１の側端部と対向する部位（すなわち、第二ブロック体２２の側端部）に切り欠き部２４を有している。具体的に説明すると、切り欠き部２４は、第二ブロック体２２の側端部において擁壁本体構築部２２ａと孔形成部２２ｂとの境界位置に設けられた段差である。より詳しく説明すると、孔形成部２２ｂの横幅は、擁壁本体構築部２２ａの横幅よりも若干長くなっている。つまり、孔形成部２２ｂの側端は、擁壁本体構築部２２ａの側端よりも突き出た位置にある。このため、孔形成部２２ｂの側端と擁壁本体構築部２２ａの側端との間に段差が形成されている。
【００５０】
そして、擁壁本体１１を構築するにあたり、図３に示すように、第二ブロック体２２の側端部に形成された上記の切り欠き部２４に、第一ブロック体２１が厚み方向内側に備える側壁２１ｂの側端角部分が係合するように第一ブロック体２１及び第二ブロック体２２が並べられる。
【００５１】
つまり、完成した擁壁本体１１では、切り欠き部２４に第一ブロック体２１の側端部中、厚み方向内側にある側壁２１ｂの側端角部分（厳密には、厚み方向内側に位置している角部分）が係合した状態で、第一ブロック体２１及び第二ブロック体２２が並べられている。これにより、第二ブロック体２２が土圧によって外側に向かって移動（位置ずれ）しようとしても、切り欠き部２４が第一ブロック体２１の角部分に係止されるので、第二ブロック体２２の位置ずれが効果的に抑えられる。
【００５２】
以上のように、本実施形態では、一般的な擁壁を構成する際に用いられる型枠ブロック（すなわち、第一ブロック体２１）の一部を第二ブロック体２２と置き換え、第二ブロック体２２に設けられた杭挿入用孔２３に鋼管杭１２を挿入し、その後、杭挿入用孔２３内部にコンクリートを打設する。これにより、擁壁本体１１と鋼管杭１２とが一体化した擁壁１０が構築され、かかる擁壁１０によれば、図７に図示のＬ形擁壁１００のベース部１０１に相当する部分が不要な擁壁（すなわち、ベースレス型の擁壁）を容易に実現することが可能となる。
【００５３】
以上までに本発明の擁壁について一例を挙げて説明したが、上記の実施形態は、あくまでも本発明の一例に過ぎず、他の実施形態も考えられる。例えば、擁壁本体１１を構築するために用いられる複数のブロック体は、第一ブロック体２１及び第二ブロック体２２以外のブロック体を含み得る。
【００５４】
また、上記の実施形態では、第一ブロック体２１及び第二ブロック体２２の各々を上下に積み重ねて擁壁本体１１を構築した。かかる場合には、各ブロック体を人が運搬可能なサイズまで断片化することができ、以て作業性（ブロック体の運搬性）が向上する。ただし、これに限定されるものではなく、第一ブロック体２１及び第二ブロック体２２の各々が断片化されておらず、擁壁本体１１の高さと同じ高さを有していてもよい。つまり、第一ブロック体２１及び第二ブロック体２２を水平方向に並べて構成される列状のブロック体を、一段設けるだけで擁壁本体１１が構築されてもよい。
【００５５】
また、上記の実施形態では、第二ブロック体２２において孔形成部２２ｂの横幅が擁壁本体構築部２２ａの横幅よりも長くなっていることとした。ただし、これに限定されるものではなく、図６に示すように、擁壁本体構築部３２ａの横幅が孔形成部３２ｂの横幅よりも長くなった第二ブロック体３２であってもよい。なお、図６に図示の第二ブロック体３２では、擁壁本体構築部３２ａの厚み方向内側部分を厚み方向外側に向かって大きく窪ませており、擁壁本体構築部３２ａに設けられた窪みと、孔形成部３２ｂの中空部分と、によって杭挿入用孔３３が構成されている。この結果、図６に図示の第二ブロック体３２では、その大部分が杭挿入用孔３３によって占められている。
【００５６】
また、上記の実施形態では、擁壁１０を本発明の壁の一例として挙げ、その構成例に説明した。すなわち、上記の実施形態で説明してきた壁は、土圧を受ける擁壁本体１１と、支柱としての鋼管杭１２と、を有するものである。ただし、これに限定されるものではなく、本発明は、土圧以外の外力、例えば風圧を受ける壁（具体的には建物の外壁）や水圧を受ける堤防壁にも適用可能である。また、本発明は、杭以外の柱材を支柱として利用する壁にも適用可能である。
【符号の説明】
【００５７】
１  盛土
１０  擁壁（壁）
１１  擁壁本体（壁本体）
１２  鋼管杭（支柱、杭）
２１  第一ブロック体
２１ａ  側壁
２１ｂ  側壁
２１ｃ  連結部
２１ｓ  外側面
２２  第二ブロック体
２２ａ  擁壁本体構築部（壁本体構築部）
２２ｂ  孔形成部
２２ｓ  外側面
２３  杭挿入用孔（孔）
２４  切り欠き部
３２  第二ブロック体
３２ａ  擁壁本体構築部（壁本体構築部）
３２ｂ  孔形成部
３３  杭挿入用孔（孔）
１００  Ｌ形擁壁
１０１  ベース部
１０２  壁部
１１０  杭
Ｈ  建物
【図１】
2018204336.tif 000003
【図２】
2018204336.tif 000004
【図３】
2018204336.tif 000005
【図４】
2018204336.tif 000006
【図５】
2018204336.tif 000007
【図６】
2018204336.tif 000008
【図７】
2018204336.tif 000009